(57)【特許請求の範囲】
【請求項１】
上下複数段に配置された棚板と、該棚板上に載置された生体用容器と、該生体用容器の上方に配置された照明灯と、前記生体用容器上方の棚板と生体用容器との間の空間の前面を覆う開閉扉とを備え、
該開閉扉に、冷却用ファンが設けられると共に、閉扉時の冷却用ファンの作動と開扉時の冷却用ファンの停止とを切り換えるスイッチ手段が設けられていることを特徴とする生体販売用什器。
【請求項２】
前記開閉扉は、閉扉状態の垂下位置と開扉状態の跳ね上げ位置とに位置変更可能に構成されている請求項１記載の生体販売用什器。
【請求項３】
前記冷却用ファンは、照明灯用の電源から給電される請求項１又は２に記載の生体販売用什器。
【請求項４】
前記冷却用ファンにファンガードが設けられている請求項１ないし３のいずれかに記載の生体販売用什器。
【請求項５】
前記冷却用ファンは、複数個が前記空間の前面の長さ方向に沿って互いに間隔をおいて設けられている請求項１ないし４のいずれかに記載の生体販売用什器。
【発明の詳細な説明】
【技術分野】
【０００１】
本発明は、水槽等の生体用容器に収容された観賞魚や爬虫類等の生体を展示販売するために用いられる生体販売用什器に関する。
【背景技術】
【０００２】
従来、ペットショップにおいて、上下複数段の棚板の各々に複数個の水槽を横並びに配置し、各水槽毎に異なる種類の観賞魚や爬虫類等の生体を収容して、それら生体の展示販売の用に供する生体販売用什器が用いられている。
【０００３】
而して、このような生体販売用什器においては、水槽とその上方の棚板又は天板との間に、水槽内の観賞魚の取り出し、補充、入れ替え等をの作業を行い易くするために、適度な上下間隔のある空間が設けられている。
【０００４】
また、この空間の上部には水槽を照明する照明灯が設けられている。
【０００５】
そして、各水槽に上面を覆う蓋が存在しない代わりに、異物やゴミが前記空間を通って水槽内に入らないように 前記空間の前面に作業用の開閉扉が設けられている。
【０００６】
ところが、照明時間が長くなるに従って、前記照明灯から発生する熱が前記空間に籠もって該空間の温度が上昇することにより、水槽の水温を不本意にも上昇させてしまうことがある。
【０００７】
そのために、特許文献１に記載の生体販売用什器は、前記空間に外気を吹き込んで換気し、該空間の温度を下げるための冷却用ファンが設けられている。
【先行技術文献】
【特許文献】
【０００８】
【特許文献１】特開２００７−１６６９１１号公報
【発明の概要】
【発明が解決しようとする課題】
【０００９】
しかし、前記特許文献１に記載の冷却用ファンは、生体販売用什器の左右両側面に設けられているので、生体販売用什器が設置される店舗によっては、冷却用ファンが店舗内の壁面に接近しすぎたり、あるいは複数の生体販売用什器が横並びに並列された場合には、隣接する生体販売用什器の冷却用ファンどうしが接近しすぎたりして、空気の吸引が効率的に行われず、所期する換気、冷却効果が得られないことがある。
【００１０】
本発明は、このような技術的背景に鑑みてなされたもので、生体販売用什器の設置場所に関わりなく水槽等の生体用容器とその上方の棚板との間の空間を換気して、該空間の温度上昇を防止し、ひいては水槽の温度上昇を防止することのできる生体販売用什器を提供することを目的とするものである。
【課題を解決するための手段】
【００１１】
前記目的を達成するために、本発明の生体販売用什器は、下記［１］〜［５］の構成を有する。
【００１２】
［１］  上下複数段に配置された棚板と、該棚板上に載置された生体用容器と、該生体用容器の上方に配置された照明灯と、前記生体用容器上方の棚板と生体用容器との間の空間の前面を覆う開閉扉とを備え、
該開閉扉に、冷却用ファンが設けられると共に、閉扉時の冷却用ファンの作動と開扉時の冷却用ファンの停止とを切り換えるスイッチ手段が設けられていることを特徴とする生体販売用什器。
【００１３】
［２］  前記開閉扉は、閉扉状態の垂下位置と開扉状態の跳ね上げ位置とに位置変更可能に構成されている前項１記載の生体販売用什器。
【００１４】
［３］  前記冷却用ファンは、照明灯用の電源から給電される前項１又は２に記載の生体販売用什器。
【００１５】
［４］  前記冷却用ファンにファンガードが設けられている前項１ないし３のいずれかに記載の生体販売用什器。
【００１６】
［５］  前記冷却用ファンは、複数個が前記空間の前面の長さ方向に沿って互いに間隔をおいて設けられている前項１ないし４のいずれかに記載の生体販売用什器。
【発明の効果】
【００１７】
本発明は、以下の効果を奏する。
【００１８】
［１］の発明では、生体用容器上方の棚板と生体用容器との間の空間の前面を覆う開閉扉に、冷却用ファンが設けられているので、生体販売用什器の設置場所に関わりなく水槽等の生体用容器とその上方の棚板との間の空間を換気して該空間の不本意な温度上昇を防止し、ひいては生体用容器の不本意な温度上昇を防止することができる。
【００１９】
また、前記開閉扉には、閉扉時の冷却用ファンの作動と開扉時の冷却用ファンの停止とを切り換えるスイッチ手段が設けられているので、生体容器内の生体の取り出し、補充、入れ替え等の作業を行う際に開閉扉を開扉すると、冷却用ファンが停止して節電に寄与すると共に、冷却用ファンに頭髪等が引き込まれたりするような事態を未然に防止することができる。
【００２０】
［２］の発明では、前記開閉扉は、閉扉状態の垂下位置と開扉状態の跳ね上げ位置とに位置変更可能に構成されているので、開閉扉が跳ね上げられて生体用容器とその上方の棚板との空間の前面が大きく開放された状態におかれることにより、前記作業が行いやすくなり、それらの作業能率を向上させる。
【００２１】
［３］の発明では、前記冷却用ファンは、照明灯用の電源から給電されるので、店舗の営業時間外等に照明灯の電源を切ると自動的に冷却用ファンへの給電が停止され、冷却用ファンの電源の切り忘れによる無駄な電力消費を防止することができる。
【００２２】
［４］の発明では、前記冷却用ファンにファンガードが設けられているので、冷却用ファンへの不本意な異物の巻き込みが防止される。
【００２３】
［５］の発明では、前記冷却用ファンの複数個が前記空間の前面の長さ方向に沿って互いに間隔をおいて設けられているので、冷却用ファンが生体販売用什器の左右の側面に設けられている場合に較べて、生体用容器とその上方の棚板との間の空間をより一層効率よく換気することができ、該空間の不本意な温度上昇を防止し、ひいては生体用容器の不本意な温度上昇を防止することができる。
【図面の簡単な説明】
【００２４】
【図１】本発明に係る生体販売用什器の一実施形態の正面図である。
【図２】同生体販売用什器の要部概略説明図である。
【発明を実施するための形態】
【００２５】
本発明に係る生体販売用什器の実施形態を、図面を参照しながら具体的に説明する。
【００２６】
この実施形態の生体販売用什器Ａは、図１及び図２に示すように、上下複数段に配置された棚板１の各々の上面に、生体用容器としての水槽２の複数個が載置されている。
【００２７】
水槽２とその上方の棚板１又は天板１１との間には、水槽２内の観賞魚の取り出し、補充、入れ替え等の作業を行うための空間Ｓが設けられている。
【００２８】
各水槽２には、図示省略したが、濾過装置やヒーター等の水槽環境を調節する装置が備えられている。
【００２９】
前記空間Ｓの上部には、照明灯３が配置され、前記空間Ｓの前面には、この空間Ｓ前面を覆う開閉扉４が設けられている。
【００３０】
この開閉扉４は、棚板１の前部に固定された棚板支持部５に、蝶番６を介して下方に垂下した状態に取り付けられている。
【００３１】
この開閉扉４は、前記垂下した状態において水槽２の上方の棚板１と水槽２との間の空間Ｓの前面を覆う閉扉状態にあるもので、その垂下位置から上方に回動させた開扉状態の跳ね上げ位置とに、位置変更可能に構成されている。図示省略したが、この開閉扉４には、前記跳ね上げ位置から不本意にも垂下位置に戻らないように跳ね上げ位置保持手段を備えている。
【００３２】
また、この開閉扉４には、前記照明灯３から発生した熱によって温度上昇した空間Ｓを換気して冷却するための冷却用ファン７が設けられている。
【００３３】
この冷却用ファン７は、各開閉扉４に２個ずつが前記空間Ｓの前面の長さ方向に沿って互いに間隔をおいて設けられ、中段の棚板１に載置された３個の水槽２、２、２のうち、隣り合う２つの水槽２、２の上方空間に跨がるように配置されている。
【００３４】
この冷却用ファン７は、前記空間Ｓの空気を排気して換気するという設定、あるいは前記空間Ｓ内に外気を吸引して換気するという設定のいずれもでも良い。
【００３５】
この冷却用ファン７は給電により回転するもので、その給電をオンオフし、閉扉時の冷却用ファンの作動と開扉時の冷却用ファンの停止とを切り換えるスイッチ手段が開閉扉４に設けられている。
【００３６】
前記スイッチ手段は、図２に鎖線で示すように、開扉時の跳ね上げ位置において下向きに突出する押しボタンスイッチ８が、閉扉時の垂下位置において前記棚板支持部５の下面に押圧されることにより、開閉扉４の中に押し込まれてスイッチオンとなり、冷却用ファン７への給電が開始される一方、開扉時に前記押圧が解除されことにより、押しボタンスイッチ８が前記押し込まれた状態から元の状態に復帰しスイッチオフとなって給電が停止されるものとなされている。
【００３７】
この冷却用ファン７は、前記照明灯３の電源を共用しており照明灯３の電源を落とすと冷却用ファン７の電源が自動的に落ちるものとなされている。
【００３８】
この冷却用ファン７への給電は、前記照明灯３の電源に繋がるコンセントに着脱自在のプラグを有するＡＣアダプタ（図示省略）を介して行われている。
【００３９】
この冷却用ファン７の前面及び後面には、細かい網目のメッシュからなるファンガード７ａ、７ａが設けられている。このファンガード７ａにより、異物の冷却用ファン７への巻き込みが防止されるものとなされている。
【００４０】
この生体販売用什器Ａの最上部には天板１１上に貯水タンク１０が設置されており、該貯水タンク１０から補給パイプ（図示省略）を介して必要に応じて水槽２に水が補給されるものとなされている。
【００４１】
而して、上記構成を有する実施形態の生体販売用什器Ａは、ペットショップやホームセンターの店舗内に設置され、各水槽２毎に異なる種類の観賞魚が収容され展示販売されるもので、照明灯３に電源を入れて点灯が始まると、その電源を共用する冷却用ファンも同時に作動し、前記空間Ｓの換気が行われることになる。
【００４２】
従って、換気が行われない場合には、照明灯３から発生する熱が、図２に矢印で示すように空間Ｓ内の空気の対流２０によって水槽２に伝わり、水槽２の水温を過度に上昇させてしまうことになるが、前記冷却用ファン７が作動することにより、前記空間Ｓの換気が常時行われることによって、空間Ｓに熱気が籠もることがないので、該空間Ｓの不本意な温度上昇を防止し、ひいては水槽２の不本意な温度上昇を防止することができる。
【００４３】
この温度上昇防止効果は、冷却用ファン７が開閉扉４に設けられていることにより、生体販売用什器Ａの設置場所に関わりなく、すなわち生体販売用什器Ａの側面が店舗の内壁に近接するように設置された場合にも十分に発揮される。
【００４４】
また、この実施形態においては、前記冷却用ファン７が、各開閉扉４に２個ずつが前記空間Ｓの前面の長さ方向に沿って互いに間隔をおいて設けられているので、空間Ｓの換気を均等に行える。
【００４５】
特に中段においては、冷却用ファン７が中段の棚板１に載置された３個の水槽２、２、２のうち、隣り合う２つの水槽２、２の上方空間に跨がるように配置されているので、温度上昇防止効果を各水槽に行き渡らせることができる。。
【００４６】
この冷却用ファン７は、必ずしも常に作動していなければならないものではない。
【００４７】
すなわち、冬場に店舗内の室温が夏場に較べて上昇せず、照明灯３の発熱が水槽２の水温上昇に影響を与えない場合は、冷却用ファン７を作動させる必要性がないので、前記ACアダプタを外して冷却用ファン７への給電を遮断し、照明灯３の点灯時であっても冷却用ファン７を作動しないようにすることができる。
【００４８】
水槽内の観賞魚の取り出し、補充、入れ替え等の作業の際に、前記開閉扉４を上方に跳ね上げて開扉すると、閉扉時に開閉扉４の中に押し込まれていた押しボタンスイッチ８が前記押し込まれた状態から元の状態に復帰しスイッチオフとなって給電が遮断され、冷却用ファン７が停止するので、電力消費を節約できると共に、冷却用ファンに頭髪等が引き込まれたりするような事態を未然に防止することができる。
【００４９】
また、仮に給電が停止された後も、冷却用ファン７が少しの間、回転速度を落としながらも惰性で回転していることがあっても、冷却用ファン７にはファンガード７ａが設けられているので、冷却用ファンに頭髪等が引き込まれたりするような事態をより一層未然に防止することができる。
【００５０】
また、前記開閉扉４を上方に跳ね上げることにより、空間Ｓの前面が大きく開放されるので、前記作業が行いやすい。
【００５１】
而して、前記作業が終わって、開閉扉４を開扉状態の跳ね上げ位置から閉扉状態の垂下位置へと戻すと、開扉時の跳ね上げ位置において下向きに突出する押しボタンスイッチ８が、閉扉時の垂下位置において前記棚板支持部５の下面に押圧されることにより、開閉扉４の中に押し込まれてスイッチオンとなり、冷却用ファン７への給電が開始され冷却用ファン７が作動するので、冷却用ファン７のスイッチの入れ忘れを防止できる。
【００５２】
また、照明灯３を消灯する必要性がある場合にも、照明灯３の電源を落とすと自動的に冷却用ファン７が停止されるので、冷却用ファン７の消し忘れがなく、節電効果に寄与できる。
【００５３】
なお、上記実施形態では、生体を観賞魚として説明したが、この発明の生体販売用什器は、生体が観賞魚に限られるものではなく、爬虫類や両生類の生体販売用什器としても使用されるものである。そのような場合には、生体を収容する容器として水槽が使われたりあるいはケースと呼ばれるものが使用されることがある。
【符号の説明】
【００５４】
Ａ：生体販売用什器
Ｓ：空間
１：棚板
２：生体用容器としての水槽
３：照明灯
４：開閉扉
５：棚板支持部
７：冷却用ファン
７ａ：ファンガード
【図１】
0005490740.tif 000002
【図２】
0005490740.tif 000003